(57)【要約】      （修正有）【課題】乳幼児等による不用意の開封を防止しつつ、必要時に使用者が容易に開封可能な包装袋の提供。【解決手段】内容物を収容する袋状の収容部２は、上シール部の一部と幅方向で並ぶ幅狭部２２を有し、幅狭部と幅方向で並ぶ箇所であり、かつ周縁から内側に入った箇所に設けられる第１開封起点部６１、第１開封起点部を通過するように上下方向に沿った折り返し線６２、及び折り返し線に沿って折り返される折り返し部６３を含む開封構造部６を有する。折り返し線は、背貼り部の根元５ａに沿って設けられ、背貼り部は、第１開封起点部と重なる箇所に第２開封起点部６４を有する。折り返し部が、背貼り部と重なりつつ折り返された状態において、上シール部及び背貼り部が、第１開封起点部及び第２開封起点部を起点として、幅狭部に向かって引き裂かれることで、幅狭部が開封される。【選択図】図６
2019214386.tif 000002
【特許請求の範囲】
【請求項１】
１枚のフィルム材からなり、かつ前記フィルム材の側縁同士を帯状に貼り合わせることで形成された筒状体の上端及び下端が閉塞された形の包装袋であって、
内容物を収容する袋状の収容部と、
前記筒状体の前記上端において、正面側及び背面側の前記フィルム材同士が溶着された部分からなり、前記収容部の上端を閉塞する偏平な上シール部と、
前記側縁同士が帯状に貼り合わせられた部分からなり、背面側において、前記収容部及び前記上シール部から張り出した背貼り部とを備え、
前記収容部は、前記筒状体の幅よりも狭い部分からなり、かつ前記上シール部の一部と幅方向で並ぶ幅狭部を有し、
前記上シール部において前記幅狭部と幅方向で並ぶ箇所でありかつ周縁から内側に入った箇所に設けられる貫通孔又は脆弱部からなる第１開封起点部、前記第１開封起点部を通過するように上下方向に沿って形成される折り返し線、及び幅方向において前記折り返し線よりも外側にある前記上シール部の一部からなり前記折り返し線に沿って背面側又は正面側に折り返される折り返し部を含む開封構造部を有し、
前記折り返し線は、前記背貼り部の根元に沿って設けられ、
前記背貼り部は、前記第１開封起点部と重なる箇所に、貫通孔又は脆弱部からなる第２開封起点部を有し、
前記折り返し部が、前記背貼り部と重なりつつ折り返された状態において、前記上シール部及び前記背貼り部が、前記第１開封起点部及び前記第２開封起点部を起点として、前記幅狭部に向かって引き裂かれることで、前記幅狭部が開封される包装袋。
【請求項２】
前記第１開封起点部は、前記貫通孔として前記上シール部を貫通する第１貫通孔を含む第１開口縁部からなり、前記第２開封起点部は、前記貫通孔として前記背貼り部を貫通する第２貫通孔を含む第２開口縁部からなる請求項１に記載の包装袋。
【請求項３】
前記第１開口縁部及び前記第２開口縁部は、前記折り返し部が折り返された状態において、前記幅狭部に向かって切り込まれたような形をなしている請求項２に記載の包装袋。
【請求項４】
正面側において、前記折り返し線を横切るように、少なくとも前記上シール部に形成された線状の溝からなる第１引き裂き誘導線を有し、
前記第１開封起点部は、前記脆弱部として、前記第１引き裂き誘導線と前記折り返し線の交点にある第１脆弱部からなり、
背面側において、前記折り返し線を横切りつつ、前記第１引き裂き誘導線と重なるように、少なくとも前記上シール部及び前記背貼り部に形成された線状の溝からなる第２引き裂き誘導線を有し、
前記第２開封起点部は、前記脆弱部として、前記第２引き裂き誘導線と前記背貼り部の根元との交点にある第２脆弱部からなる請求項１に記載の包装袋。
【請求項５】
前記上シール部は、前記折り返し部と、それよりも下側の部分とを分ける凹状に窪んだ窪み部を有し、
前記折り返し部は、前記下側の部分と独立して折り返しが可能な形をなしている請求項１〜請求項４の何れか一項に記載の包装袋。
【請求項６】
前記折り返し線は、正面側及び／又は背面側に形成される線状の脆弱部からなる請求項１〜請求項５の何れか一項に記載の包装袋。
【発明の詳細な説明】
【技術分野】
【０００１】
本発明は、包装袋に関する。
【背景技術】
【０００２】
フィルム材を加工して形成された包装袋が知られている。この種の包装袋は、薬剤や食品等の内容物を収容するために広く用いられている。このような包装袋は、一般的に、内容物を収容する袋状の収容部と、その収容部を封止するシール部とを備えている。そして、包装袋を開封するための開封部（例えば、切れ込み等）が、シール部の最も端側に設けられている。
【０００３】
開封部がシール部の端側に設けられていると、例えば、乳幼児が不用意に包装袋を開封してしまい、内容物を誤飲する虞があった。そのため、このような不用意の開封を防止する包装袋として、例えば、特許文献１に示される包装袋が提案されている。この包装袋は、シール部の端から内側に入った部分に、開封部を構成する引き裂き部が設けられている。この引き裂き部は、収容部に向かうような形をなしており、その引き裂き部と交わる方向に、開封部を構成するミシン目状の折り曲げ線が設けられている。使用者は、折り曲げ線に沿ってシール部を折り曲げつつ、そのシール部が折り重ねられた状態で、引き裂き部を起点としてシール部及び収容部を引き裂くことにより、包装袋を開封することができる。
【先行技術文献】
【特許文献】
【０００４】
【特許文献１】特開２００６−１７６２０７号公報
【発明の概要】
【発明が解決しようとする課題】
【０００５】
しかしながら、上述した従来の開封技術を、いわゆるスティック型の包装袋に適用することは困難であった。何故ならば、この種の包装袋は、収容部やシール部以外に、それらの背面側から帯状に張り出した背貼り部を備えており、その背貼り部を、開封時に、シール部や収容部と共に、確実に引き裂く必要があるからである。
【０００６】
本発明の目的は、乳幼児等による不用意の開封を防止しつつ、必要時に使用者が容易に開封可能な包装袋を提供することである。
【課題を解決するための手段】
【０００７】
本発明に係る包装袋は、１枚のフィルム材からなり、かつ前記フィルム材の側縁同士を帯状に貼り合わせることで形成された筒状体の上端及び下端が閉塞された形の包装袋であって、内容物を収容する袋状の収容部と、前記筒状体の前記上端において、正面側及び背面側の前記フィルム材同士が溶着された部分からなり、前記収容部の上端を閉塞する偏平な上シール部と、前記側縁同士が帯状に貼り合わせられた部分からなり、背面側において、前記収容部及び前記上シール部から張り出した背貼り部とを備え、前記収容部は、前記筒状体の幅よりも狭い部分からなり、かつ前記上シール部の一部と幅方向で並ぶ幅狭部を有し、前記上シール部において前記幅狭部と幅方向で並ぶ箇所でありかつ周縁から内側に入った箇所に設けられる貫通孔又は脆弱部からなる第１開封起点部、前記第１開封起点部を通過するように上下方向に沿って形成される折り返し線、及び幅方向において前記折り返し線よりも外側にある前記上シール部の一部からなり前記折り返し線に沿って背面側又は正面側に折り返される折り返し部を含む開封構造部を有し、前記折り返し線は、前記背貼り部の根元に沿って設けられ、前記背貼り部は、前記第１開封起点部と重なる箇所に、貫通孔又は脆弱部からなる第２開封起点部を有し、前記折り返し部が、前記背貼り部と重なりつつ折り返された状態において、前記上シール部及び前記背貼り部が、前記第１開封起点部及び前記第２開封起点部を起点として、前記幅狭部に向かって引き裂かれることで、前記幅狭部が開封される。
【０００８】
前記包装袋において、前記第１開封起点部は、前記貫通孔として前記上シール部を貫通する第１貫通孔を含む第１開口縁部からなり、前記第２開封起点部は、前記貫通孔として前記背貼り部を貫通する第２貫通孔を含む第２開口縁部からなってもよい。
【０００９】
前記包装袋において、前記第１開口縁部及び前記第２開口縁部は、前記折り返し部が折り返された状態において、前記幅狭部に向かって切り込まれたような形をなしていてもよい。
【００１０】
前記包装袋において、正面側において、前記折り返し線を横切るように、少なくとも前記上シール部に形成された線状の溝からなる第１引き裂き誘導線を有し、前記第１開封起点部は、前記脆弱部として、前記第１引き裂き誘導線と前記折り返し線の交点にある第１脆弱部からなり、背面側において、前記折り返し線を横切りつつ、前記第１引き裂き誘導線と重なるように、少なくとも前記上シール部及び前記背貼り部に形成された線状の溝からなる第２引き裂き誘導線を有し、前記第２開封起点部は、前記脆弱部として、前記第２引き裂き誘導線と前記背貼り部の根元との交点にある第２脆弱部からなってもよい。
【００１１】
前記包装袋において、前記上シール部は、前記折り返し部と、それよりも下側の部分とを分ける凹状に窪んだ窪み部を有し、前記折り返し部は、前記下側の部分と独立して折り返しが可能な形をなしていてもよい。
【００１２】
前記包装袋において、前記折り返し線は、正面側及び／又は背面側に形成される線状の脆弱部からなってもよい。
【発明の効果】
【００１３】
本発明によれば、乳幼児等による不用意の開封を防止しつつ、必要時に使用者が容易に開封可能な包装袋を提供することができる。
【図面の簡単な説明】
【００１４】
【図１】実施形態１に係るスティック型の包装袋の正面図
【図２】実施形態１に係るスティック型の包装袋の背面図
【図３】図３は、図２のＡ−Ａ線拡大断面図
【図４】開封前の包装袋における開封構造部付近の拡大斜視図
【図５】折り返し部が折り返された状態の包装袋における開封構造部付近の拡大斜視図
【図６】折り返し部が折り返された状態において、第１開封起点部と第２開封起点部とが重なった状態を示す説明図
【図７】収容部の幅狭部が切断されて開封された状態の包装袋を示す説明図
【図８】実施形態２に係るスティック型の包装袋の正面図
【図９】実施形態２に係るスティック型の包装袋の背面図
【図１０】実施形態３に係るスティック型の包装袋の正面図
【図１１】実施形態３に係るスティック型の包装袋の背面図
【図１２】実施形態４に係るスティック型の包装袋の正面図
【図１３】実施形態４に係るスティック型の包装袋の背面図
【発明を実施するための形態】
【００１５】
＜実施形態１＞
本発明の実施形態１を、図１〜図７を参照しつつ説明する。本実施形態では、内容物Ｓとして液状の薬剤を収容するスティック型の包装材１を例示する。図１は、実施形態１に係るスティック型の包装袋１の正面図であり、図２は、実施形態１に係るスティック型の包装袋１の背面図であり、図３は、図２のＡ−Ａ線拡大断面図である。なお、説明の便宜上、図１の左側を包装袋１の左側とし、図１の右側を包装袋１の右側とする。
【００１６】
包装袋１は、縦長の略長方形状の１枚のフィルム材（包装フィルム）Ｆから形成される。本実施形態のフィルム材（包装フィルム）Ｆは、遮光性、ガスバリア性等に優れるアルミ蒸着フィルムからなる。なお、他の実施形態においては、アルミ蒸着フィルム以外のフィルム材（例えば、アルミ箔の複合フィルム、ＰＥＴ樹脂やナイロン樹脂等の複合樹脂フィルム）が用いられてもよい。本実施形態の包装袋１は、縦型多列自動充填包装機により、液中シールの形態で製造される。なお、他の実施形態においては、間欠充填等の他の方式を利用して、包装袋１が形成されてもよい。
【００１７】
包装袋１は、全体的には、フィルム材Ｆの側縁同士を帯状に貼り合わせることで形成された筒状体Ｆ１の上端及び下端が閉塞された形をなしている。このような包装袋１は、収容部２、上シール部３、下シール部４、背貼り部５、及び開封構造部６を備えている。
【００１８】
収容部２は、内容物Ｓを収容する袋状の部分であり、製造過程においてフィルム材Ｆにより形成された筒状体Ｆ１の上下方向における略中央の部分からなる。収容部２の上端２ａは、上シール部３により閉塞（封止）され、収容部２の下端２ｂは、下シール部４により閉塞（封止）される。上シール部３は、製造過程において形成される筒状体Ｆ１の上端において、正面側及び背面側のフィルム材Ｆ同士が重ねられた状態で溶着（熱溶着）された部分からなり、偏平なシート状をなしている。また、下シール部４は、製造過程において形成される筒状体Ｆ１の下端において、正面側及び背面側のフィルム材Ｆ同士が重ねられた状態で溶着（熱溶着）された部分からなり、偏平なシート状をなしている。
【００１９】
収容部２の上端２ａ（上シール部３と接する上側の境界部分）は、図１に示されるように、左側から右側に立ち上がったような曲線状をなしている。このような収容部２は、筒状の収容本体部２１と、この収容本体部２１の上端から上方に延びた細い袋状の幅狭部２２とを備えている。収容本体部２１は、筒状体Ｆ１の筒状部分からなり、包装袋１の幅（筒状体Ｆ１の幅）と同じ幅を備えている。幅狭部２２は、収容本体部２１の幅（筒状体Ｆ１の幅）よりも狭い部分からなり、下側から上側に向かって幅が徐々に狭くなっている。図１に示されるように、幅狭部２２は、包装袋１の幅方向において、右側に片寄った形となっている。このような幅狭部２２は、包装袋１の幅方向において、上シール部３の一部と並んでいる（隣り合っている）。幅狭部２２は、包装袋１の開封時、切断される箇所である。切断された幅狭部２２からは、収容部２内の内容物Ｓが外部へ排出される。上シール部３は、幅狭部２２よりも上側の部分と、その部分よりも下側の部分であり、かつ幅狭部２２と幅方向で隣り合った部分とを備えている。なお、後述するように、上シール部３は、開封構造部６を構成する各部分を備えている。
【００２０】
収容部の下端２ｂ（下シール部４と接する下）は、幅方向（水平方向）に沿って直線状に延びた形をなしている。下シール部４は、正面から見た際、幅方向（左右方向）に延びた帯状をなしている。
【００２１】
背貼り部５は、フィルム材Ｆの長手方向の側縁同士が帯状に貼り合わせられた部分からなり、上下方向に延びた形をなしている。フィルム材Ｆの側縁同士は、例えば、熱溶着により互いに貼り合わせられている。また、背貼り部５は、背面側において、収容部２、上シール部３及び下シール部４から張り出した形となっている。また、本実施形態の背貼り部５は、正面から見て右側（図２の左側）に折り倒されており、背面側において、収容部２、上シール部３及び下シール部４に重ねられている。
【００２２】
開封構造部６は、包装袋１を開封する際に利用される部分であり、第１開封起点部６１、折り返し線６２、折り返し部６３、第２開封起点部６４を備えている。
【００２３】
第１開封起点部６１は、シート状の上シール部３を貫通する第１貫通孔６１ａと、その第１貫通孔６１ａを囲む第１開口縁部６１ｂとを備えている。このような第１開封起点部６１は、収容部２の幅狭部２２と幅方向で並ぶ箇所であり、かつ前記上シール部３において周縁から内側に入った箇所に設けられている。
【００２４】
第１貫通孔６１ａは、全体的には、幅方向の長さが上下方向の長さよりも長い略十字型をなしており、その第１貫通孔６１ａを取り囲む部分が第１開口縁部６１ｂとなっている。また、第１開封起点部６１は、上下方向に沿って配される折り返し線６２を中心として、左右対称の形を備えている。なお、包装袋１を正面から見た際、上シール部３のうち、折り返し線６２よりも左側の部分（幅狭部２２の反対側にある部分）が、折り返し部６３であり、折り返し線６２よりも右側の部分が、上シール本体部３１となっている。そして、第１開封起点部６１のうち、折り返し部６３に形成されている部分を、折り返し側起点部６１１と称し、上シール本体部３１に形成されている部分を、本体部側起点部６１２と称する。折り返し側起点部６１１及び本体部側起点部６１２は、折り返し線６２を中心として、左右対称の形をなしている。
【００２５】
折り返し部６３は、包装袋１の開封時に、背面側又は正面側に折り返される部分である。なお、本実施形態では、折り返し部６３を背面側へ折り返す場合を例示する。また、折り返し部６３は、折り返し線６２を基準として折り返される。折り返し線６２は、上シール部３の正面側に設けられており、所謂、ミシン目状に設けられた溝（ハーフカット溝）からなる。折り返し部６３が折り返し線６２を基準として折り返されると、折り返し線６２は、折り返し部６３の根元に配された状態となる。
【００２６】
また、折り返し線６２は、背面側において上下方向に直線状に延びた背貼り部５の根元５ａと重なる位置に配されている。
【００２７】
なお、上シール部３は、折り返し部６３と、それよりも下側にあり、かつ折り返し線６２よりも外側（幅狭部２２の反対側）にある側縁部３２とを分ける凹状に窪んだ窪み部３３を備えている。本実施形態の折り返し部６３は、側縁部３２と独立して折り返しが可能である。つまり、包装袋１の開封時に、上シール部３の左側縁のすべてを折り返し線６２に沿って折り返す必要はなく、折り返し部６３のみを選択的に折り返すことができる。
【００２８】
窪み部３３の上下方向の幅は、第１開封起点部６１の上下方向の幅よりも大きく設定されており、折り返し部６３と側縁部３２との間で、上シール部３等が引き裂かれることが防止されている。このように、窪み部３３の上下方向の幅を十分広く設定することで、窪み部３３に対する応力集中が抑制されている。
【００２９】
第２開封起点部６４は、背貼り部５のうち、第１開封起点部６１と重なる箇所に設けられている。第２開封起点部６４は、背貼り部５を貫通する第２貫通孔６４ａと、その第２貫通孔６４ａを囲む第２開口縁部６４ｂとを備えている。開封前の状態において、第２開封起点部６４は、第１開封起点部６１のうち、本体部側起点部６１２と重なるように設けられている。そのため、第２開封起点部６４の大きさは、第１開封起点部６１の半分の大きさである。なお、開封時の状態では、後述するように、本体部側起点部６１２と共に、折り返し側起点部６１１と重なる。
【００３０】
第２開封起点部６４の形状は、正面から見た際、第１開封起点部６１の本体部側起点部６１２の形状と同じであり、幅狭部２２に向かって切り込まれたような形をなしている。
【００３１】
次いで、図４〜図７を参照しつつ、包装袋１の開封方法を説明する。図４は、開封前の包装袋１における開封構造部６付近の拡大斜視図である。開封前の状態の包装袋１では、折り返し部６３は、折り返されておらず、上シール本体部３１と共に、１枚のシート状をなしている。なお、図４では、説明の便宜上、背貼り部５が、包装袋１の背面から離された状態で示されている。
【００３２】
図５は、折り返し部６３が折り返された状態の包装袋１における開封構造部６付近の拡大斜視図である。使用者は、包装袋１を開封する際、先ず、左手の人差し指と親指等で、上シール部３の側縁部３２付近を摘まんだ状態で、右手の人差し指と親指等を利用して、折り返し部６３を背面側へ折り返す。折り返し部６３は、折り返し線６２に沿いつつ、背貼り部５と重なるように、背貼り部５の直線状の根元５ａに沿う形で折り返される。本実施形態の場合、折り返し部６３が折り返された状態において、背貼り部５は、折り返し部６３と上シール本体部３１との間で挟まれた状態となる。折り返し部６３は、包装袋１の背面側において、背貼り部５及び上シール本体部３１に対して折り重ねられている。
【００３３】
図６は、折り返し部６３が折り返された状態において、第１開封起点部６１と第２開封起点部６４とが重なった状態を示す説明図である。図６に示されるように、折り返し部６３が、背貼り部５及び上シール本体部３１に対して折り重ねられると、上シール部３に設けられている第１開封起点部６１と、背貼り部５に設けられている第２開封起点部６４とが重なり合った状態となる。第１開封起点部６１は、折り返し線６２を中心として、２つに折り曲げられた形となっている。つまり、正面側に、本体部側起点部６１２が配され、背面側に、折り返し側起点部６１１が配されている。そして、本体部側起点部６１２と、折り返し側起点部６１１との間に、第２開封起点部６４が配されている。
【００３４】
そして、折り返し部６３、背貼り部５及び上シール本体部３１が重なった部分のうち、第１開封起点部６１及び第２開封起点部６４よりも上側の部分を、右手の親指と人差し指等で摘まむと共に、それらの下側の部分を、左手の親指と人差し指等で摘まんだ状態で、それらの部分が互いに離れるように、第１開封起点部６１及び第２開封起点部６４を起点として、折り返し部６３、背貼り部５及び上シール本体部３１が、幅狭部２２に向かって引き裂かれる（図６中の矢印Ｘ参照）。すると、折り返し部６３、背貼り部５及び上シール本体部３１が、矢印Ｘに沿って引き裂かれると共に、収容部２の上側の部分である幅狭部２２が、幅方向に沿って切断される。
【００３５】
図７は、収容部２の幅狭部２２が切断されて開封された状態の包装袋１を示す説明図である。幅狭部２２が幅方向に切断されると、幅狭部２２に開口端部２２ａが形成され、その開口端部２２ａから、収容部２内の内容物Ｓを外側へ出すことができる。
【００３６】
以上のように、本実施形態の包装袋１は、上シール部３の周縁に、開封の起点となる部分を備えておらず、折り返し部６３を折り返し線６２に沿って折り返すことにより、初めて、開封の起点となる第１開封起点部６１及び第２開封起点部６４が、端部に現れる構成となっている。そのため、本実施形態の包装袋１は、いわゆるチャイルドレジスタンス機能を備えており、乳幼児等が開封して、内容物Ｓを誤飲すること等が抑制される。
【００３７】
また、本実施形態の包装袋１では、折り返し部６３が、側縁部３２と独立して折り返しが可能であり、使用者が必要時に直感的に、折り返し部６３を折り返し易くなっている。しかも、折り返し部６３を折り返す際に基準となる折り返し線６２が、背貼り部５の根元５ａに対して、厚み方向で重なる位置に設けられているため、折り返し部６３を、折り返し易く、しかも背貼り部５や上シール本体部３１に対して折り重ねやすくなっている。したがって、本実施形態の包装袋１は、例えば、指先の感覚（触感）や視覚が衰えた使用者であっても、折り返し線の位置を直感的に特定し易く、かつ折り返し部を折り返し易くなっている。
【００３８】
また、本実施形態の包装袋１では、背貼り部５にも、開封時の起点となる第２開封起点部６４が設けられている。そのため、包装袋１の開封時、厚みのある背貼り部５があっても、その背貼り部５と共に、上シール部３や幅狭部２２等を確実に所定の箇所で切断することができる。
【００３９】
＜実施形態２＞
次いで、実施形態２に係る包装袋１Ａについて、図８及び図９を参照しつつ説明する。なお、上記実施形態１に対応する各構成については、実施形態１の各構成の符号に、添え字「Ａ」を追加して説明する。図８は、実施形態２に係るスティック型の包装袋１Ａの正面図であり、図９は、実施形態２に係るスティック型の包装袋１Ａの背面図である。
【００４０】
本実施形態の包装袋１Ａは、実施形態１と同様、全体的には、フィルム材ＦＡの側縁同士を帯状に貼り合わせることで形成された筒状体Ｆ１Ａの上端及び下端が閉塞された形をなしている。包装袋１Ａは、実施形態１と同様、収容部２Ａ、上シール部３Ａ、下シール部４Ａ、背貼り部５Ａ、及び開封構造部６Ａを備えている。また、収容部２Ａは、実施形態１と同様、幅狭部２２Ａを備えている。
【００４１】
上シール部３Ａの正面側及び背面側には、それぞれ、レーザーマーカーにより形成された折り返し線６２Ａが形成されている。折り返し線６２Ａは、直線状の溝（ハーフカット溝）であり、図８及び図８に示されるように、上下方向に沿う形で、上シール部３Ａの両面に形成されている。なお、折り返し線６２Ａよりも、外側にある上シール部３Ａは、折り返し部６３Ａとなっている。また、上シール部３Ａの正面側には、折り返し線６２Ａに対して垂直に交わりつつ横切るように、レーザーマーカーにより形成された第１引き裂き誘導線６５Ａが形成されている。
【００４２】
正面側において、折り返し線６２Ａと第１引き裂き誘導線６５Ａとの交点は、第１脆弱部６１Ａａとなっている。本実施形態では、この第１脆弱部６１Ａａが、第１開封起点部６１Ａとして利用される。なお、図８に示されるように、第１引き裂き誘導線６５Ａは、上シール部３Ａのみならず、収容部２Ａの幅狭部２２Ａの一部にも形成されている。
【００４３】
また、図９に示されるように、上シール部３Ａの背面側には、折り返し線６２Ａに対して垂直に交わりつつ横切るように、レーザーマーカーにより形成された第２引き裂き誘導線６６Ａが形成されている。背面側において、折り返し線６２Ａと第２引き裂き誘導線６６Ａとの交点は、第２脆弱部６４Ａａとなっている。本実施形態では、この第２脆弱部６４Ａａが、第２開封起点部６４Ａとして利用される。なお、第２引き裂き誘導線６６Ａは、第１引き裂き誘導線６５Ａと重なる位置に形成され、かつ第１引き裂き誘導線６５Ａと同様、上シール部３Ａのみならず、収容部２Ａの幅狭部２２Ａの一部にも形成されている。
【００４４】
開封前の状態において、第１脆弱部６１Ａａからなる第１開封起点部６１Ａと、第２脆弱部６４Ａａからなる第２開封起点部６４Ａとは、互いに重なる位置に設定されている。本実施形態の折り返し線６２Ａは、実施形態１と同様、背貼り部５Ａの上下方向に延びた根元５Ａａに沿う形で形成されている。
【００４５】
本実施形態の包装袋１Ａを開封する場合、実施形態１と同様、折り返し部６３Ａが折り返し線６２Ａ、及び背貼り部５Ａの根元５Ａａに沿って正面側又は背面側に折り返される。ここでは、背面側に折り返されるものとする。折り返し部６３Ａが折り返された状態において、第１脆弱部６１Ａａからなる第１開封起点部６１Ａと、第２脆弱部６４Ａａからなる第２開封起点部６４Ａとが重なっている。そして、互いに重なった第１開封起点部６１Ａ及び第２開封起点部６４Ａを開封の起点として、折り返し部６３Ａ、背貼り部５Ａ及び上シール本体部３１Ａを、第１引き裂き誘導線６５Ａ及び第２引き裂き誘導線６６Ａに沿って引き裂くと、それらと共に、隣接する幅狭部２２Ａが切断される。
【００４６】
本実施形態の包装袋１Ａのように、第１脆弱部６１Ａａ、第２脆弱部６４Ａａ等の脆弱部を利用した開封構造部６Ａが適用されてもよい。
【００４７】
＜実施形態３＞
次いで、実施形態３に係る包装袋１Ｂについて、図１０及び図１１を参照しつつ説明する。なお、上記実施形態１に対応する各構成については、実施形態１の各構成の符号に、添え字「Ｂ」を追加して説明する。図１０は、実施形態３に係るスティック型の包装袋１Ｂの正面図であり、図１１は、実施形態３に係るスティック型の包装袋１Ｂの背面図である。
【００４８】
本実施形態の包装袋１Ｂは、実施形態１と同様、全体的には、フィルム材ＦＢの側縁同士を帯状に貼り合わせることで形成された筒状体Ｆ１Ｂの上端及び下端が閉塞された形をなしている。本実施形態の包装袋１Ｂは、実施形態１の包装袋１に対して、左右対称の構造を備えているものの、基本的な構成は、実施形態１と同じである。包装袋１Ｂは、実施形態１と同様、収容部２Ｂ、上シール部３Ｂ、下シール部４Ｂ、背貼り部５Ｂ、及び開封構造部６Ｂを備えている。収容部２Ｂは、実施形態１とは反対に、左側に片寄った形の幅狭部２２Ｂを備えている。
【００４９】
また、折り返し部６３Ｂは、図１０に示されるように、正面から見て右側に配されている。折り返し線６２Ｂは、正面側のみ形成され、実施形態１と同様、背貼り部５Ｂの根元５Ｂａに沿う形で設けられている。また、折り返し線６２Ｂは、貫通孔からなる第１開封起点部６１Ｂ及び第２開封起点部６４Ｂを通過する形で設けられている。
【００５０】
本実施形態の包装袋１Ｂは、開封時に、引き裂かれる方向が、実施形態１とは逆向きになっているものの、基本的には、実施形態１と同じ方法で、折り返し部６３Ｂ、背貼り部５Ｂ及び上シール本体部３１Ｂ等を引き裂きつつ、幅狭部２２Ｂを切断して開封することができる。
【００５１】
＜実施形態４＞
次いで、実施形態４に係る包装袋１Ｃについて、図１２及び図１３を参照しつつ説明する。なお、上記実施形態１に対応する各構成については、実施形態１の各構成の符号に、添え字「Ｃ」を追加して説明する。図１２は、実施形態４に係るスティック型の包装袋１Ｃの正面図であり、図１３は、実施形態４に係るスティック型の包装袋１Ｃの背面図である。
【００５２】
本実施形態の包装袋１Ｃは、実施形態１と同様、全体的には、フィルム材ＦＣの側縁同士を帯状に貼り合わせることで形成された筒状体Ｆ１Ｃの上端及び下端が閉塞された形をなしている。本実施形態の包装袋１Ｃは、背貼り部５Ｃが張り出す向きが、実施形態１と逆向きになっている。つまり、背貼り部５Ｃは、幅狭部２２Ｃ側ではなく、折り返し部６３Ｃ側に張り出しつつ倒された状態となっている。なお、本実施形態の背貼り部５Ｃには、上シール部３Ｃが備える窪み部３３Ｃと重なる部分に、それと略同様の形をなした窪み部５Ｃｂが形成されている。そのため、背貼り部５Ｃのうち、折り返し部６３Ｃと重なる部分のみを選択的に、折り返し部６３Ｃと共に折り返し線６２Ｃに沿って折り返すことができる。
【００５３】
このような包装袋１Ｃは、実施形態１と同様、収容部２Ｃ、上シール部３Ｃ、下シール部４Ｃ、背貼り部５Ｃ、及び開封構造部６Ｃを備えている。また、
【００５４】
また、折り返し部６３Ｃは、図１２に示されるように、正面側のみ形成され、実施形態１と同様、背貼り部５Ｃの根元５Ｃａに沿う形で設けられている。また、折り返し線６２Ｃは、貫通孔からなる第１開封起点部６１Ｃ及び第２開封起点部６４Ｃを通過する形で設けられている。
【００５５】
本実施形態の包装袋１Ｃは、背貼り部５Ｃの倒れる向きが、実施形態１と逆になっているものの、基本的には、実施形態１と同じ方法で、折り返し部６３Ｃ、背貼り部５Ｃ及び上シール本体部３１Ｃ等を引き裂きつつ、幅狭部２２Ｃを切断して開封することができる。なお、開封時に折り返し部６３Ｃを、折り返し線６２Ｃに沿って背面側へ折り返す場合、折り返し部６３Ｃと共に、背貼り部５Ｃの一部が、上シール本体部３１Ｃと重なるように折り返される。これに対し、開封時に折り返し部６３Ｃを、折り返し線６２Ｃに沿って正面側へ折り返す場合、背貼り部５Ｃの一部は、正面側へ折り返してもよいし、反対に背面側へ折り返してもよい。
【００５６】
以上のように、折り返し部６３Ｃ及び背貼り部５Ｃの一部を、折り返し線６２Ｃに沿って折り返すことにより、第１開封起点部６１Ｃ及び第２開封起点部６４Ｃが端部に現れる形となり、それらを起点とすることで、包装袋１Ｃを容易に開封することができる。
【００５７】
＜他の実施形態＞
本発明は上記記述及び図面によって説明した実施形態に限定されるものではなく、例えば次のような実施形態も本発明の技術的範囲に含まれる。
【００５８】
（１）折り返し線は、上シール部の正面側のみに形成されてもよいし、背面側のみに形成されてもよいし、それら両面に形成されてもよい。また、折り返し線は、ミシン目状だけでなく、連続的な線状であってもよい。また、折り返し線は、ハーフカット溝に限られず、例えば、印刷（インク等）で形成されてもよいし、レーザーマーカーによって形成されるものでもよい。また、第１引き裂き誘導線、及び第２引き裂き誘導線も、折り返し線と同様、ミシン目状、連続的な線状等であってもよいし、レーザーマーカー、印刷等で形成されてもよい。
【００５９】
（２）背面側において、背貼り部の倒される向きは、本発明の目的を損なわない限り、特に制限はなく、目的に応じて、適宜、設定される。ただし、上述した実施形態１〜３のように、背貼り部は、背面側において、折り返し部側ではなく、幅狭部側に折り倒されている方が、折り返し部を、背貼り部の根元に沿って折り曲げやすく、好ましいと言える。また、幅狭部は、包装袋の左右何れかに片寄った形で形成されてもよいし、幅方向における略中央部分に形成されてもよい。
【００６０】
（３）第１開封起点部、及び第２開封起点部を構成する貫通孔の形状は、本発明の目的を損なわない限り、特に制限はない。貫通孔からなる第１開封起点部としては、例えば、菱形であってもよい。その場合、第２開封起点部は、第１開封起点部と重なるような三角形とされる。
【００６１】
（４）収容部に収容する内容物は、液体に限られず、顆粒状、粉末状、ゲル状等、特に制限はない。また、内容物としては、薬剤、食材、サプリメント、飲料、アルコール等、特に制限はない。
【符号の説明】
【００６２】
１…包装袋、２…収容部、２１…収容本体部、２２…幅狭部、３…上シール部、３１…上シール本体部、３２…側縁部、３３…窪み部、４…下シール部、５…背貼り部、５ａ…背貼り部の根元、６…開封構造部、６１…第１開封起点部、６２…折り返し線、６３…折り返し部、６４…第２開封起点部、Ｆ…フィルム材、Ｆ１…筒状体、Ｓ…内容物
【図１】
2019214386.tif 000003
【図２】
2019214386.tif 000004
【図３】
2019214386.tif 000005
【図４】
2019214386.tif 000006
【図５】
2019214386.tif 000007
【図６】
2019214386.tif 000008
【図７】
2019214386.tif 000009
【図８】
2019214386.tif 000010
【図９】
2019214386.tif 000011
【図１０】
2019214386.tif 000012
【図１１】
2019214386.tif 000013
【図１２】
2019214386.tif 000014
【図１３】
2019214386.tif 000015